(57)【要約】【課題】機器内部の記録媒体のみへ記録する方式の場合、内部の記録媒体の記録可能領域が無くなると、それ以上データを記録することができない。【解決手段】データ入力手段と、前記データ入力手段により入力されたデータを処理する信号処理手段と、機器の内部に内蔵された第一の記録媒体と、前記信号処理手段で処理されたデータを、前記第一の記録媒体に書き込む書き込み手段とを備え、第二の記録媒体を着脱可能なデータ記録装置であって、機器が前記書き込み手段による記録動作を継続している状態であっても、前記第一の記録媒体のデータを読み出し、第二の記録媒体に記録するデータ転送手段と、機器が前記書き込み手段による記録動作を継続している状態であっても、前記データ転送手段が第一の記録媒体から読み出したデータを第一の記録媒体から消去する、一のデータ消去手段とを備えることにより、長時間の記録が可能である。【選択図】図１
2008072433.tif 000002
【特許請求の範囲】
【請求項１】
データ入力手段と、
前記データ入力手段により入力されたデータを処理する信号処理手段と、
機器の内部に内蔵された第一の記録媒体と、
前記信号処理手段で処理されたデータを、前記第一の記録媒体に書き込む書き込み手段とを備え、第二の記録媒体を着脱可能なデータ記録装置であって、
機器が前記書き込み手段による記録動作を継続している状態であっても、前記第一の記録媒体のデータを読み出し、第二の記録媒体に記録するデータ転送手段と、
機器が前記書き込み手段による記録動作を継続している状態であっても、前記データ転送手段が第一の記録媒体から読み出したデータを第一の記録媒体から消去する、一のデータ消去手段とを、
備える信号記録装置。
【請求項２】
前記第二の記録媒体が装着されているときに、
前記書き込み手段は、記録するデータのサイズが前記第二の記録媒体の記録可能領域のサイズを超えるならば、前記記録するデータを前記第二の記録媒体の記録可能領域のサイズ以下のファイルに分割し、前記第一の記録媒体へ書き込む請求項１記載のデータ記録装置。
【請求項３】
前記第二の記録媒体が装着されていないときに、
前記書き込み手段は、記録するデータのサイズが所定のサイズを超えるならば、記録するデータを所定のサイズ以下のファイルに分割し、前記第一の記録媒体へ書き込む、請求項１または請求項２記載のデータ記録装置。
【請求項４】
前記データ入力手段が撮像素子及び／または音声入力手段である請求項１から請求項３のいずれか１項に記載のデータ記録装置
【請求項５】
記録開始時に、前記第二の記録媒体の記録可能領域が所定の値以上の場合、前記第二の記録媒体の記録可能領域が無くなるまで、前記第二の記録媒体にデータを記録し、以後は前記第一の記録媒体にデータを記録する第一の書き込み制御手段を備えたことを特徴とする請求項１から請求項４のいずれか１項に記載のデータ記録装置。
【請求項６】
前記第二の記録媒体が機器に装着されたときに、前記第二の記録媒体内のデータを消去する第二のデータ消去手段を備える請求項１から請求項５のいずれか１項に記載のデータ記録装置。
【請求項７】
前記第二の記録媒体が機器に装着されたときに、前記第二の記録媒体内のデータを消去しても良いかという情報を提示する情報提示手段と、
前記情報提示手段による情報提示後に、前記第二のデータ消去手段によるデータ消去の実行を指示するデータ消去指示手段とを備え、
前記第二のデータ消去手段は、前記データ消去指示手段により前記第二の記録媒体内のデータ消去が指示された後に、前記第二の記録媒体内のデータを消去する請求項６記載のデータ記録装置。
【請求項８】
前記第二の記録媒体内のデータの選択を行うデータ選択手段を備え、
前記第二のデータ消去手段は、前記データ選択手段により選択されたデータを消去する請求項７記載のデータ記録装置。
【請求項９】
前記第二の記録媒体のフォーマットが本機器で使用可能なフォーマットかどうかを検出するフォーマット検出手段と、
前記第二の記録媒体を、本機器で使用可能なフォーマットへフォーマットを行うフォーマット手段とを備え、
前記第二の記録媒体が機器に装着されたときに、前記フォーマット検出手段の検出結果が、本機器で使用不可能なフォーマットであったならば、前記フォーマット手段が前記第二の記録媒体のフォーマットを実行する請求項１から請求項５のいずれか１項に記載のデータ記録装置。
【請求項１０】
前記第二の記録媒体のフォーマットを本機器で使用可能なフォーマットにフォーマットして良いかという情報を提示する情報提示手段と、
前記情報提示手段による情報提示後に、前記フォーマット手段によるフォーマット実行を指示するフォーマット指示手段とを備え、
前記フォーマット手段は、前記フォーマット検出手段の検出結果が、使用不可能なフォーマットであった場合、前記フォーマット指示手段によるフォーマット実行の指示後にフォーマットを行う請求項９記載のデータ記録装置。
【請求項１１】
データを入力するデータ入力ステップと、
前記データ入力ステップで入力されたデータを処理する信号処理ステップと、
前記信号処理ステップで処理されたデータを、機器の内部に内蔵された第一の記録媒体に書き込む書き込みステップと、
前記書き込みステップにおいて記録動作を継続している状態であっても、前記第一の記録媒体のデータを読み出し、機器に着脱可能な第二の記録媒体にデータを記録するデータ転送ステップと、
前記書き込みステップにおいて記録動作を継続している状態であっても、前記データ転送ステップにおいて前記第一の記録媒体から読み出したデータを前記第一の記録媒体から消去する第一のデータ消去ステップと、
を備えるデータ記録方法
【発明の詳細な説明】
【技術分野】
【０００１】
本発明は、映像や音声を撮影し、メモリーカードや光ディスクなどに記録する信号記録装置に関するものである。
【背景技術】
【０００２】
近年メディアのディジタル化が進み、ディジタルビデオカメラに代表されるように、映像や音声をディジタルで記録する装置が多く商品化されている。
【０００３】
これらは、機器内部の記録媒体に記録するものや、メモリーカードや光ディスクなど取り出し可能な記録媒体に記録するもの、内部の記録媒体と取り出し可能な記録媒体を適宜切り替えて記録するもの等が多くあり、特開平１１−４６３１４に示されるように取り出し可能な記録媒体の装着を検出し記録する記録媒体を切り替えるという方法が示されている。
【特許文献１】特開平１１−４６３１４号公報
【発明の開示】
【発明が解決しようとする課題】
【０００４】
しかしながら、機器内部の記録媒体のみへ記録する方式の場合、内部の記録媒体の記録可能領域が無くなると、それ以上データを記録することができない。
【０００５】
また、取り出し可能な記録媒体のみであった場合には、記録媒体を交換することでひとつの記録媒体以上のデータを記録することができるが、記録媒体の交換時には記録できなくなってしまう。
【０００６】
さらに、特開平１１−４６３１４に示される方法では、使用者が記録もしくはデータの複写を選択する構成のため、記録媒体の記録可能領域が無くなるとそれ以上記録し続けることができないという課題を有する。
【課題を解決するための手段】
【０００７】
前記問題点を解決するために、本発明に関わる信号記録手段では、データ入力手段と、前記データ入力手段により入力されたデータを処理する信号処理手段と、機器の内部に内蔵された第一の記録媒体と、前記信号処理手段で処理されたデータを、前記第一の記録媒体に書き込む書き込み手段とを備え、第二の記録媒体を着脱可能なデータ記録装置であって、機器が前記書き込み手段による記録動作を継続している状態であっても、前記第一の記録媒体のデータを読み出し、第二の記録媒体に記録するデータ転送手段と、機器が前記書き込み手段による記録動作を継続している状態であっても、前記データ転送手段が第一の記録媒体から読み出したデータを第一の記録媒体から消去する、一のデータ消去手段とを備えたことを特徴とする。
【発明の効果】
【０００８】
本発明によれば、記録中にもデータを外部メモリへ転送することができ、外部メモリを取り外し、外部メモリの交換やストレージメディアなどへバックアップが可能であり、長時間の記録が可能である。
【発明を実施するための最良の形態】
【０００９】
（実施の形態１）
以下、本発明の第一の実施の形態について、図面を参照しながら説明を行う。図１は本発明第一の実施の形態のブロック図である。１０１は入力光を光電変換し映像信号を出力する撮像手段。本実施例では、データ入力手段を撮像手段としたが、撮像手段だけではなく、たとえば、音声入力手段であっても、撮像手段と音声入力手段というように複数の異なる入力手段であっても、マルチアングルの撮影が可能な２つの撮像手段というように複数の同一の入力手段であってもかまわない。１０２は、撮像手段１０１の出力に対して、画質調整や圧縮を行う映像信号処理手段。本実施例では、映像信号処理手段を一例としたが、映像信号処理手段以外の信号処理手段でもかまわない。１０３は、映像信号処理手段１０２の出力を第一の記録媒体１０４もしくは、第二の記録媒体１０５の記録可能領域に書き込む書き込み手段。１０４は、機器内部に実装され、不揮発性の半導体メモリやハードディスクなどの使用中には取り外すことができない、第一の記録媒体。１０５は不揮発性の半導体メモリなどを内蔵するメモリーカードや、光ディスクなど機器から取り外して別の機器に装着して使用することができる第二の記録媒体。
【００１０】
１０６は、第一の記録媒体１０４から第二の記録媒体１０５へデータをコピーするデータ転送手段。１０７は、データ転送手段１０６が転送したデータを第一の記録媒体１０４から消去し記録可能領域にする、第一のデータ消去手段。１０８は、第二の記録媒体１０５が装着された時に、第二の記録媒体１０５のフォーマットを検出し、本機器で使用可能なフォーマットか、使用不可能なフォーマットかを判断するフォーマット検出手段。１０９は、フォーマット検出手段１０８の検出結果が、使用不可能なフォーマットであった場合に、第二の記録媒体１０５を本機器で使用可能なフォーマットを行うフォーマット実行手段。１１０は、第二の記録媒体１０５内のデータに対してすべて消去、もしくは使用者が選択したデータを消去する、第二のデータ消去手段。
【００１１】
次に、本発明の動作の一例について説明する。撮像手段１０１で光電変換された映像信号は、映像信号処理手段１０２で画質調整や、圧縮などの信号処理を施し、第一の記録媒体１０４に応じた記録データに変換される。書き込み手段１０３は第二の記録媒体１０５の記録可能領域のサイズを検出し、第二の記録媒体１０５の記録可能領域のサイズを超えない任意のサイズのファイル作成し、第一の記録媒体１０４の記録可能領域に書き込む。
【００１２】
例えば、撮像された映像信号の記録データが第二の記録媒体１０５の記録可能領域のサイズを超えない限りは問題ないが、撮像された映像信号の記録データが第二の記録媒体１０５の記録可能領域のサイズを超えてしまう場合は、撮像された映像信号の記録データを第二の記録媒体１０５の記録可能領域以下のサイズに分割して第一の記録媒体１０４に記録する。また、第一の記録媒体１０４を、第２の記録媒体１０５の記録容量を超えない大きさで、あらかじめ仮想的に分割しておくことにより、第２の記録媒体１０５の記録可能領域の最大容量を超えないようにしても良い。ただし、仮想的に分割された容量を超える映像データの場合は、分割して記録されるものとする。
【００１３】
データ転送手段１０６は、第二の記録媒体１０５が装着されており、且つ所定量以上の記録可能領域がある場合に、第一の記録媒体１０４に書き込まれたデータを、随時第二の記録媒体１０５の記録可能領域へ転送する。第一のデータ消去手段１０７はデータ転送手段１０６からのデータ転送情報により、転送完了したデータを第一の記録媒体１０４から消去する。データの消去は、第二の記録媒体１０５に記録済みのクラスタ毎に消去しても良いし、第二の記録媒体１０５に記録済みのファイル毎に消去しても良い。
【００１４】
図２に本発明の信号記録装置におけるクラスタ毎にデータを消去する場合のタイミング図の一例を示す。２０１は第一の記録媒体１０４の記録済み領域の変化を示したグラフ、２０２は第二の記録媒体１０５の記録済み領域の変化を示したグラフである。記録開始タイミング２０３では、第一の記録媒体１０４、第二の記録媒体１０５ともに記録済み領域は無く、すべての領域が記録可能領域である。第一の記録媒体１０４に所定量のデータが記録されるタイミング２０４までは、第一の記録媒体１０４へデータが記録されるのみで、第二の記録媒体１０５へデータ転送は行われない。第一の記録媒体１０４に所定量のデータが記録された、タイミング２０４において、第一の記録媒体１０４から第二の記録媒体１０５へデータの転送が開始される。本実施例では、第一の記録媒体１０４の書き込み速度に対して、第一の記録媒体１０４の読み出し速度と、第二の記録媒体１０５の書き込み速度が１倍から２倍である場合である。
【００１５】
第二の記録媒体１０５の記録可能領域が無くなるタイミング２０５までの、期間２０６の間は、書き込み手段１０３が第一の記録媒体１０４へのデータの書き込みを行いつつ、データ転送手段１０６は第一の記録媒体１０４からデータを読み出す。第一のデータ消去手段１０７は、データ転送手段１０６が読み出し終わったデータを第一の記録媒体１０４から消去する。これにより、Ｒｅｃ＝第一の記録媒体１０４の記録済み領域の容量、ＲｅｃＳｔａｒｔ＝記録開始時の第一の記録媒体１０４の記録済み領域サイズ、ＷｒｉｔｅＲａｔｅ＝第一の記録媒体１０４にデータを書き込む単位時間あたりのサイズ、Ｔｗ＝第一の記録媒体１０４へデータを書き込んでいる時間、ＲｅａｄＲａｔｅ＝第一の記録媒体１０４からデータを読み出す単位時間あたりのサイズ、Ｔｒ＝第一の記録媒体１０４からデータを読み出している時間としたとき、第一の記録媒体１０４の記録済み領域の容量（Ｒｅｃ）は次式で表される。
【００１６】
【数１】
2008072433.tif 000003
【００１７】
本実施例の期間２０６では、ＷｒｉｔｅＲａｔｅ＝ＲｅａｄＲａｔｅであるので、第一の記録媒体１０４の記録済み容量の変化はない。また、期間２０６では、データ転送手段１０６が第二の記録媒体１０５へ順次データを書き込む。データ転送手段１０６は、第二の記録媒体１０５の記録可能領域が無くなったタイミング２０５で使用者に、第二の記録媒体１０５の記録可能領域が無くなったことを通知する。なお、本実施例ではタイミング２０５を第二の記録媒体１０５の記録可能領域の残量が無くなった場合を一例としているが、タイミング２０５は、第二の記録媒体１０５の記録可能領域の残量が任意の値になったタイミングで構わない。
【００１８】
タイミング２０５で使用者は、第二の記録媒体１０５の残量が無くなったことを把握し、第二の記録媒体１０５を機器から取り出し、別の記録媒体を装着、もしくは、第二の記録媒体１０５をＰＣやストレージメディアなどへデータのバックアップを行い、第二の記録媒体１０５を再度本機器へ装着を行う。第二の記録媒体１０５が機器から取り出され、再度、装着されるまでの期間２０７は、データ転送手段１０６はデータの転送を行わず、それにより、第一のデータ消去手段１０７は、第一の記録媒体１０４からデータの消去を行わない。２０７の期間は、第一の記録媒体１０４の記録済み領域が増加し、記録可能領域は図２-1に示すように減少していく。
【００１９】
タイミング２０８は、再度、第二の記録媒体１０５が装着されたタイミングである。タイミング２０８では、第二の記録媒体１０５の記録済み領域は無いとする。期間２０９では、第一の記録媒体１０４へ書き込みを行いつつ、書き込み手段１０３が第一の記録媒体１０４へのデータの書き込みを行いつつ、データ転送手段１０６は第一の記録媒体１０４からデータを読み出す。第一のデータ消去手段１０７は、データ転送手段１０６が読み出し終わったデータを第一の記録媒体１０４から消去する。このとき、ＷｒｉｔｅＲａｔｅ×２＝ＲｅａｄＲａｔｅであるので、第一の記録媒体１０４の記録済み容量は、減少する。
【００２０】
次に、第二の記録媒体１０５が再度装着された場合について図３のフローチャートを参照しながら説明する。３０１でまず第二の記録媒体１０５の装着が検出されると、３０２で第二の記録媒体１０５のフォーマットの検出を行う。フォーマット確認３０２の結果、ＷｒｉｔｅＯＫの場合、３０３記録可能領域検出を行う。記録可能領域検出３０３の結果がＷｒｉｔｅＯＫの場合、３０４データ転送がデータ転送手段１０６により行われ、同時に第一のデータ消去手段１０７が、第一の記録媒体１０４から、転送済みデータを消去する。フォーマット確認３０２の結果がＷｒｉｔｅＮＧであった場合３０５で第二の記録媒体１０５をフォーマットしても良いかの確認を行う。ここで、フォーマットして良いかの確認とは、データ記録装置が備える液晶ディスプレイのような表示手段やスピーカーのような音声出力手段などの情報提示手段（図示せず）を利用して、ユーザにフォーマットしても良いかどうかを示す情報を、映像や音声で提示することをいう。そして、ユーザは提示された情報に基づいて、ボタン操作などによりフォーマットを行うかどうかを指示するフォーマット指示手段（図示せず）によりフォーマットを行うかどうかの指示を行う。フォーマットが許可された場合、３０６で第二の記録媒体１０５がフォーマットされ、第二の記録媒体１０５の全領域が書き込み可能エリアとなる。以後、３０４データ転送がデータ転送手段１０６により行われ、同時に第一のデータ消去手段１０７が、第一の記録媒体１０４から、転送済みデータを消去する。また、フォーマットが許可されなかった場合は、第二の記録媒体１０５へのデータ転送は行われない。記録可能領域検出３０３の結果がＷｒｉｔｅＮＧの場合、第二の記録媒体１０５内のデータを削除しても良いかの確認が行う。ここで、データを削除しても良いかの確認とは、データ記録装置が備える液晶ディスプレイのような表示手段やスピーカーのような音声出力手段などの情報提示手段（図示せず）を利用して、ユーザにフォーマットしても良いかどうかを示す情報を、映像や音声で提示することをいう。そして、ユーザは提示された情報に基づいて、ボタン操作などによりデータを消去してよいかどうかを指示するデータ消去指示手段（図示せず）によりデータを消去するかどうかの指示を行う。削除が許可された場合、３０８データの削除が第２のデータ消去手段１１０により行われ、以後、３０４データ転送がデータ転送手段１０６により行われ、同時に第一のデータ消去手段１０７が、第一の記録媒体１０４から、転送済みデータを消去する。ファイルの削除が許可されなかった場合は、第二の記録媒体１０５へのデータ転送は行われない。また、第二のデータ消去手段１１０によるデータの消去は、ユーザのボタン操作などにより第二の記録媒体内のデータの選択を行うデータ選択手段（図示せず）によって選択されたデータを消去されるものであってよい。なお、データ選択手段によるデータの選択は、ファイル毎に選択されるものであって良い。
【００２１】
書き込み手段１０３は、第二の記録媒体１０５が装着されたとき、もしくは記録開始時等に、第二の記録媒体１０５の記録可能領域サイズの検出を行い、前記記録可能サイズを超えるファイルを作成しない。記録データが前記記録可能サイズを超える場合ファイルを分割して記録を行う。また、作成するファイルサイズは任意の設定も可能である。こうすることにより、第二の記録媒体へ転送されたデータは、ファイル単位での管理を行うことができる。
【００２２】
以上のように、本発明のデータ記録装置は上記構成とすることで、第一の記録媒体１０４と第二の記録媒体１０５の記録可能領域を超えるデータの記録を、継続して行うことができる。また、第二の記録媒体１０５をブリッジメディアとして外部ストレージ機器などへのデータの転送を容易に行うことができる。
【産業上の利用可能性】
【００２３】
本発明は、内蔵メモリと、取り外し可能な外部メモリを使用した、ムービーなどのデータ記録装置に有効である。
【図面の簡単な説明】
【００２４】
【図１】本発明の実施の形態１の信号記録装置におけるブロック図
【図２】同信号記録装置におけるクラスタ毎にデータを消去する場合のタイミング図
【図３】同信号記録装置における第二の記録媒体が装着された場合のフローチャート
【符号の説明】
【００２５】
１０１    撮像手段
１０２    映像信号処理手段
１０３    書き込み手段
１０４    第一の記録媒体
１０５    第二の記録媒体
１０６    データ転送手段
１０７    第一のデータ消去手段
１０８    フォーマット検出手段
１０９    フォーマット手段
１１０    第二のデータ消去手段
【図１】
2008072433.tif 000004
【図２】
2008072433.tif 000005
【図３】
2008072433.tif 000006